(57)【要約】【課題】床構造において仕上板の大きさが限定されないようにする。【解決手段】床支持基体１０と、床支持基体１０に移動不能に載設した（耐水性のある無機質の）仕上板接着用下地板１５と、下地板１５に接着２２した複数枚の（非透水性で無機質の）仕上板１６とを備えている。仕上板接着用下地板１０は、保水性及び耐水性のある無機質で形成することもある。仕上板接着用下地板１０は可撓性を有するものとすることもある。【効果】床支持基体１０に移動不能に載設した仕上板接着用下地板１５を用いることで、（非透水性で無機質の）仕上板１６をその大きさに関係なく確実に接着して敷設することができる。【選択図】図２
2005213839.tif 000002
【特許請求の範囲】
【請求項１】
床支持基体と、該床支持基体に移動不能に載設した仕上板接着用下地板と、該下地板に接着した複数枚の無機質の仕上板とを備えたことを特徴とする床構造。
【請求項２】
床支持基体と、該床支持基体に移動不能に載設した耐水性のある無機質の仕上板接着用下地板と、該下地板に接着した複数枚の非透水性で無機質の仕上板とを備えたことを特徴とする床構造。
【請求項３】
床支持基体と、該床支持基体に載設して固定した耐水性のある無機質の仕上板接着用下地板と、該下地板に接着した複数枚の非透水性で無機質の仕上板とを備えたことを特徴とする床構造。
【請求項４】
床支持基体と、該床支持基体に載設して湿気硬化型の接着剤で接着した保水性のある仕上板接着用下地板と、該下地板に接着した複数枚の無機質の仕上板とを備えたことを特徴とする床構造。
【請求項５】
前記仕上板接着用下地板は弾性による可撓性がある請求項１ないし請求項４のいずれかに記載の床構造。
【請求項６】
前記仕上板接着用下地板は塑性変形できる請求項１ないし請求項４のいずれかに記載の床構造。
【発明の詳細な説明】
【技術分野】
【０００１】
本発明は、ＦＲＰ製やステンレススチール製の床支持基体に、磁器タイルや石板等の非透水性仕上板を敷設する床構造に関するものである。
【背景技術】
【０００２】
従来、ＦＲＰ製支持体やステンレススチール製の防水パンからなる床支持基体に、磁器タイルや石板等の非透水性仕上板を接着したものがある（特許文献１、特許文献２）。該床支持基体に仕上板を接着する接着剤としては、一般に湿気硬化型の変成シリコン系接着剤が用いられる。この変成シリコン系接着剤を用いるのは、床支持基体に仕上板を接着した積層体が使用者の体重等の負荷で撓み変形したとき、接着層が変形に追従できるようにする必要があり、変成シリコンの適度の柔らかさが変形に追従して接着力を維持できるからである。なお、エポキシ系接着剤を用いることが考えられるが、硬化した接着剤が硬質状態になると共に、床支持基体と接着剤の接着力が弱いため、前記変形に追従できずに床支持基体と接着剤の間で剥離することになり用いることができなかった。
【０００３】
【特許文献１】特開平６−１０１３２６号公報
【特許文献２】特開平１１−３３６１５１号公報
【発明の開示】
【発明が解決しようとする課題】
【０００４】
前記湿気硬化型の接着剤を用いるには、床支持基体及び非透水性仕上板に通気性あるいは保水性が無いか又は非常に小さいので、塗布した接着剤が硬化するのに適度の湿気を付与するために、仕上板を小さくして水をスプレーする必要がある。もし、磁器タイル等の仕上板が大きいと、湿気が十分に行き渡らず、未硬化部分が形成されることになる。そのため、従来は、非透水性仕上板の大きさ限定されている。
そこで、本発明は、仕上板の大きさが限定されない床構造を提供することを目的とする。
【課題を解決するための手段】
【０００５】
仕上板の大きさが限定されないようにするために請求項１記載の本発明が採用した手段は、床支持基体と、該床支持基体に移動不能に載設した仕上板接着用下地板と、該下地板に接着した複数枚の無機質の仕上板とを備えたことを特徴とする床構造である。
本発明にあっては、床支持基体に移動不能に載設した仕上板接着用下地板を用いることで、無機質の仕上板をその大きさに関係なく確実に接着できる。
【０００６】
非透水性の仕上板の大きさが限定されないようにするために請求項２記載の本発明が採用した手段は、床支持基体と、該床支持基体に移動不能に載設した耐水性のある無機質の仕上板接着用下地板と、該下地板に接着した複数枚の非透水性で無機質の仕上板とを備えたことを特徴とする床構造である。
本発明にあっては、床支持基体に移動不能に載設した仕上板接着用下地板を用いることで、非透水性で無機質の仕上板をその大きさに関係なく確実に接着できる。
【０００７】
非透水性の仕上板の大きさが限定されないようにするために請求項３記載の本発明が採用した手段は、床支持基体と、該床支持基体に載設して固定した耐水性のある無機質の仕上板接着用下地板と、該下地板に接着した複数枚の非透水性で無機質の仕上板とを備えたことを特徴とする床構造である。
本発明にあっては、床支持基体に載設して固定した仕上板接着用下地板を用いることで、非透水性で無機質の仕上板をその大きさに関係なく確実に接着できる。
【０００８】
床支持基体と仕上板接着用下地板の間の接合面積の大きな領域の接合に、湿気硬化型の接着剤を用いることができるようにするために請求項４記載の本発明が採用した手段は、床支持基体と、該床支持基体に載設して湿気硬化型の接着剤で接着した保水性のある仕上板接着用下地板と、該下地板に接着した複数枚の無機質の仕上板とを備えたことを特徴とする床構造である。なお、仕上板接着用下地板は、保水性及び耐水性のある無機質で形成することもある。また、仕上板は非透水性のものとすることもある。
本発明にあっては、下地板に保水させ、床支持基体と下地板の間に配した湿気硬化型の接着剤を確実に硬化させることができる。
【０００９】
床支持基体のフラットでない部分に仕上板接着用下地板を載設できるようにするために請求項５記載の本発明が採用した手段は、前記仕上板接着用下地板は弾性による可撓性がある請求項１ないし請求項４のいずれかに記載の床構造である。
本発明にあっては、仕上板接着用下地板を弾性変形させることで、床支持基体のフラットでない部分（例えば、勾配の異なる二面が交わる境界部）に沿わせることができる。
【００１０】
床支持基体のフラットでない部分に仕上板接着用下地板を載設できるようにするために請求項６記載の本発明が採用した手段は、前記仕上板接着用下地板は塑性変形できる請求項１ないし請求項４のいずれかに記載の床構造である。
本発明にあっては、仕上板接着用下地板を塑性変形させることで、床支持基体のフラットでない部分（例えば、勾配の異なる二面が交わる境界部）に沿わせることができる。
【発明の効果】
【００１１】
請求項１記載の本発明に係る床構造は、床支持基体に仕上板をその大きさに関係なく敷設することができる。
請求項２，３記載の本発明に係る床構造は、床支持基体に非透水性の仕上板をその大きさに関係なく敷設することができる。
【００１２】
請求項４記載の本発明に係る床構造は、床支持基体と下地板の間に配した湿気硬化型の接着剤を確実に硬化させることができるので、床支持基体と仕上板接着用下地板の間の接合面積の大きな領域を確実に接合できる。
【００１３】
請求項５記載の本発明に係る床構造は、仕上板接着用下地板を弾性変形させることで、床支持基体のフラットでない部分に沿わせるようして仕上板接着用下地板を載設できる。  請求項６記載の本発明に係る床構造は、仕上板接着用下地板を塑性変形させることで、床支持基体のフラットでない部分に沿わせるようして仕上板接着用下地板を載設できる。
【発明を実施するための最良の形態】
【００１４】
本発明に係る床構造（以下、「本発明床構造」と言う。）を図面に示す実施形態に基づいて説明する。
【００１５】
図１乃至図４は本発明床構造の実施の形態を示すものであり、図１は本発明床構造を洗い場に採用した浴室及びその周辺を断面して示す平面図、図２（Ａ）は図１のＩＩ−ＩＩ線で断面して拡大した左側面図、同図（Ｂ）は要部の拡大図、図３は図１のＩＩＩ−ＩＩＩ線で断面して拡大した正面図、図４は仕上板接着用下地板を載設する前の状態の床支持基体を示す平面図である。
【００１６】
本実施の形態に係る浴室１は、図１に示す如く、後側の浴槽設置領域２と手前側の洗い場領域３が設けられ、左側の隣室４と手前側のデッキ５が隣接している。浴室１と左側の隣室４の間は、浴槽設置領域２側に設けた仕切壁６及び洗い場領域３側に設けた揺動式扉７（図３参照）で仕切られ、浴室１と手前側のデッキ５の間は、引き戸８で仕切られている。浴室１は、図4 に示す如く、浴槽設置領域２の床面を形成する浴槽設置用防水パン９と、洗い場領域３の床面を形成する洗い場形成用防水パンからなる床支持基体１０を備え、図１に示す如く、浴槽設置用防水パン９に浴槽１１を載設すると共に、床支持基体１０の上面を後述する下地板と仕上板で仕上げてある。上記仕切壁６は、土台１３又は隣室４の床面４ａに据え置いた架台６ａと、架台６ａに据え置いて天井１４（図３参照）に連結するガラス板や合成樹脂板等からなる仕切板６ｂとで構成してある。
【００１７】
前記洗い場領域３の床構造は、図２に示す如く、本発明床構造が採用され、ＦＲＰ（繊維強化プラスチック）製やステンレススチール製の防水パンからなる床支持基体１０と、該床支持基体１０に移動不能に載設した耐水性のある無機質の仕上板接着用下地板１５と、該下地板に接着した複数枚の非透水性で無機質の仕上板１６とからなる。
【００１８】
前記仕上板接着用下地板１５は、仕上板１６を接着する接着剤の接着力を強くするために、接着面が粗面となっているものを選択する。前記耐水性のある無機質の下地板１５としては、例えば、セメント状心板の平面的に広がる両表面側に補強ガラス繊維のメッシュシートを埋め込んで、両表面側を補強したセメントボード（特許第２６７３９２７号公報参照）が用いられる。このセメントボードからなる下地板１５は、可撓性を有し、折り曲げて弾性変形したとき、板内に透水の原因となる大きな亀裂が生じることはなく、透水の原因とならない微細なクラック（マイクロクラック）が発生するだけである。このセメントボードからなる可撓性下地板１５は、床支持基体１０の排水勾配方向の異なる二面１０ａ，１０ｂが交わるフラットでない境界部（谷部又は山部）１０ｃを含むように二面１０ａ，１０ｂに跨がって載設するとき、境界部１０ｃで折り曲げ変形させて境界部１０ｃに沿わせることができる。なお、可撓性下地板１５は、折り曲げ箇所の引っ張り側となるガラスマットに切れ目を入れ変形し易くすることもある。
【００１９】
前記セメントボードからなる下地板１５は、適度の保水性を有しているため、接合面積の大きな床支持基体１０との接合に、湿気硬化型の接着剤（例えば、硬化後に適度の柔らかさがある変成シリコン系）を用いることが可能となる。
【００２０】
前記仕上板１６は、磁器質タイル、せっき質タイル又は非透水性の石板等の非透水性で無機質の板材から選択される。前記下地板１５と仕上板１６の接合は、セメントモルタル、エポキシ系接着剤、変成シリコン系接着剤等の接着剤２２が用いられる。隣接する仕上板１６，１６の間には、目地間隙を形成して、目地材を充填することもある。
【００２１】
前記床支持基体１０に載設した下地板１５の固定は、下地板１５の施工方法によって異なるが、両者の間を変成シリコン系又はエポキシ系等の接着剤２３で全面又は部分的に接合する場合、床支持基体１０の上面と下地板１５の下面に形成した凹凸部（図示略）を嵌合させると共に必要に応じて嵌合部等を変成シリコン系又はエポキシ系等の接着剤で接合する場合、または、合板等を心材をＦＲＰ層で被覆した床支持基体１０に下地板１５をビス等の連結具（図示略）で接合する場合等がある。なお、保水性の有る下地板１５を選択したときには、前述の如く、下地板１５に保水させ、床支持基体１０と下地板１５の間に配した湿気硬化型の接着剤２３を確実に硬化させて、床支持基体１０と下地板１５の間の接合面積の大きな領域を確実に接合できる。
【００２２】
前記洗い場領域３において目皿付きの排水具１７を配設する箇所は、図３に示す如く、床支持基体１０の排水用凹部１０ｄに目皿付きの排水具１７を嵌入して配設すると共に、排水具１７の回りに下地板１５及び仕上板１６を配設して仕上げてある。
【００２３】
本発明床構造を採用する前記洗い場領域３の床構造の施工法としては、床支持基体１０の上面に下地板１５を載設して下地板１５の固定した後に、下地板１５の上面に複数枚の仕上板１６を配列しつつ接着する場合と、下地板１５に複数枚の仕上板１６を接着して仕上げ床パネルを工場等で予め製造しておき、施工現場で床支持基体１０の上面に仕上げ床パネルを載設して固定する場合とを選択できる。
【００２４】
なお、施工面積が広いために複数枚の下地板１５を繋ぎ合わせるときには、隣接する下地板１５，１５に跨がってテープ状のメッシュ材（例えば、ガラスメッシュ）を接着剤で貼着すると共に、メッシュ材に接着剤を塗り込んで平坦に仕上げてメッシュ材の目を埋めて両板の間の隙間を覆い隠す。
【００２５】
本発明床構造を採用した前記洗い場領域３の床構造は、床支持基体１０に移動不能に載設した仕上板接着用下地板１５を用いることで、非透水性で無機質の仕上板１６をその大きさに関係なく確実に接着して敷設することができる。
【００２６】
本発明床構造は、前記洗い場領域３に採用する以外に、シヤワー室の床や、図１に示す隣室４である脱衣室等の水回り室の床に採用することも勿論可能である。隣室４に採用するときには、図３に示す如く、根太１８に固定した下地板２０ａの上に樹脂板やステンレススチール板等の防水材２０ｂを敷いた床支持基体２０と、該床支持基体２０に移動不能に載設した耐水性のある無機質の仕上板接着用下地板１５と、該下地板に接着した複数枚の非透水性で無機質の仕上板１６とで構成する。
【００２７】
本発明床構造は、床支持基体１０の上面と仕上板１６が異種素材から成形され、床支持基体１０の上面と下地板１５を接合する一方の接着剤と、下地板１５と仕上板１６を接合する他方の接着剤とが異種の場合に適用できる。例えば、床支持基体１０が合成樹脂素材（例えば、ＦＲＰ）で成形されると共に、仕上板１６が無機質素材で成形される場合である。
【００２８】
本発明床構造は、洗い場領域３の床や水回り室の床に適用する以外に、濡れない乾いた床に適用することも勿論可能である。この場合、前記下地板１５としては木質の合板を用い、また、前記仕上板１６としては陶器質タイル又は透水性の石板等の無機質の透水性板材を用いることも勿論可能である。
【００２９】
更に、前記下地板１５は、前記耐水性のある無機質のセメントボードや前記木質の合板以外に、塑性変形可能な板材（例えば、アルミニューム板，合成樹脂板等）を用いることも可能である。塑性変形可能な下地板１５は、図４に示す床支持基体１０のフラットでない境界部（谷部又は山部）１０ｃを含むように二面１０ａ，１０ｂに跨がって載設するとき、境界部１０ｃで折り曲げ変形させて境界部１０ｃに沿わせることができる。下地板１５は、仕上板１６を接着する接着剤の接着力を強くするために、ブラスト加工する等して接着面が粗面となっているものを用いるとよい。
【図面の簡単な説明】
【００３０】
【図１】本発明床構造を洗い場に採用した浴室及びその周辺の実施の形態を断面して示す平面図である。
【図２】（Ａ）は図１のＩＩ−ＩＩ線で断面して拡大した左側面図，（Ｂ）は要部の拡大図である。
【図３】図１のＩＩＩ−ＩＩＩ線で断面して拡大した正面図である。
【図４】仕上板接着用下地板を載設する前の状態の床支持基体を示す平面図である。
【符号の説明】
【００３１】
１０…床支持基体、１５…仕上板接着用下地板、１６…仕上板
【図１】
2005213839.tif 000003
【図２】
2005213839.tif 000004
【図３】
2005213839.tif 000005
【図４】
2005213839.tif 000006